(57)【要約】【課題】ランダムアクセス可能な記録媒体を用いた映像の記録において、ランダムアクセス可能な記録媒体の利点を維持しながら、ビデオテープレコーダ（ＶＴＲ）のような編集結果を実現する。【解決手段】映像の記録開始時に、制御手段１０２により、直前に記録再生を停止したクリップＡ上の位置ａで前後にクリップを分割してクリップＡ１およびクリップＡ２とし、映像の記録終了時に、制御手段１０２により、前記位置ａから記録した時間に相当する時間分だけ論理的に進んだところにあるクリップＢ上の上書き記録終了位置ｂで前後にクリップを分割してクリップＢ１およびクリップＢ２とし、制御手段１０２により、前記クリップＡ２から前記クリップＢ１までを新たに記録された映像クリップＣと置き換え、クリップＡ１、クリップＣ、クリップＢ２と再生する。【選択図】図７
2009301646.tif 000002
【特許請求の範囲】
【請求項１】
外部から入力される映像を受け付ける映像入力手段と、
前記映像入力手段から入力された前記映像をクリップとして記録媒体に記録すると共に、前記記録媒体に記録された複数の前記クリップをプレイリストにしたがって記録媒体から再生して出力する制御手段とを備え、
前記制御手段は、最後に記録再生を行った前記クリップ上の位置である上書き記録開始位置を記憶し、入力された映像を上書きクリップとして記録を開始する際に、前記クリップを前記上書き記録開始位置で前後に分割し、前記上書きクリップを前記記録媒体中の空き領域に記録し、前記上書きクリップの記録終了時において、前記上書き記録開始位置から記録した時間に相当する時間分だけ前記プレイリストにしたがって論理的に進んだ上書き記録終了位置を含むクリップを前記上書き記録終了位置で前後に分割し、前記プレイリスト上における前記上書き記録開始位置および前記上書き記録終了位置の間に含まれるクリップを前記上書きクリップで置き換えるように前記プレイリストを更新する、
映像記録再生装置。
【請求項２】
前記制御手段は、前記映像をメタ情報を含んだ前記クリップとして前記記録媒体に記録し、
前記制御手段は、前記上書きクリップの記録時に、前記プレイリスト上で前記上書きクリップと置き換えたクリップを示す情報を含むメタ情報と共に前記上書きクリップを前記記録媒体に記録し、
前記上書きクリップの削除時に、前記上書きクリップに含まれるメタ情報から前記上書きクリップと置き換えたクリップを特定し、前記プレイリスト上で前記上書きクリップと前記置き換えたクリップを置き換えるように前記プレイリストを更新する、請求項１記載の映像記録再生装置。
【発明の詳細な説明】
【技術分野】
【０００１】
本発明は、映像の記録・再生を行う映像記録再生装置に関し、特にランダムアクセス可能な記録媒体に対して仮想的な上書き記録を実現する映像記録再生装置に関する。
【背景技術】
【０００２】
従来、映像記録再生装置の主流は、ビデオテープレコーダ（ＶＴＲ）等のシーケンシャルアクセス記録媒体を用いた映像記録再生装置（以下、代表してＶＴＲとする）であった。ＶＴＲにおいて新たに映像を記録する場合、記録開始時におけるテープ上の記録再生停止位置から映像を記録するため、その位置に既に映像が記録されている場合は、その領域を上書きするように新たな映像を記録してしまい、記録済みの映像の一部が消失してしまうという欠点があった。このため、ユーザはテープ上のどの位置に映像が記録されているかを管理しておく必要があった。
【０００３】
図１は、ＶＴＲでの映像記録時における記録媒体の変化を示した模式図である。図中の矩形はテープを表し、横方向がテープの位置を示している。図１（ａ）は、テープの先頭から映像Ａおよび映像Ｂが連続して記録され、その後ろは未記録の空き領域になっていることを示している。また、テープは映像Ａの途中で停止しており、次の記録はこの停止位置から開始されることを示している。この状態から新たに映像Ｃの記録を開始すると、図１（ｂ）に示すように、この停止位置から映像Ａを上書きしながら記録を行う。映像Ａに続く映像Ｂの途中まで記録をしたところで記録を停止すると、図１（ｃ）に示すように、映像Ａの後半および映像Ｂの前半が映像Ｃによって上書きされ、映像Ａの前半が映像Ａ’として、また映像Ｂの後半が映像Ｂ’として残る。このように、新たな映像の記録によって、既存映像の一部が消失していることがわかる。
【０００４】
近年、カメラレコーダ等の映像記録再生装置に、光学ディスクや半導体メモリ、ハードディスク等のランダムアクセス可能な記録媒体が用いられることが多くなっている。
【０００５】
ランダムアクセス可能な記録媒体を用いた装置では、記録されたデータを管理する方式としてファイルシステムが備えられることが一般的である。ファイルシステムを経由することによって、既に記録した映像を誤って上書きしてしまうことなく、新たな映像をファイルとして記録媒体へ記録することが可能である。
【０００６】
また、ランダムアクセス可能な記録媒体を用いた映像記録再生装置では、映像をＭＰＥＧ２やＡＶＣＨＤなどのビデオ規格に準じたクリップのファイルとして管理することによって、自装置はもちろん、他の映像記録再生装置やパーソナルコンピュータ等においても、記録した映像クリップの削除やコピー等、各種ファイル操作が実行可能となることも利点の一つである。
【０００７】
図２は、ランダムアクセス可能な記録媒体を用いた場合の映像記録時における記録媒体の変化を示した模式図である。図中の矩形は、記録媒体の論理的な記録領域を表し、横方向がその論理アドレスを示している。図２（ａ）は、図１（ａ）と同様に、論理アドレスの先頭からクリップＡおよびクリップＢが記録され、その後ろは未記録の空き領域になっていることを示している。この状態から新たにクリップＣの記録を開始すると、図２（ｂ）に示すように、ファイルシステムが記録媒体上の空き領域を検索し、クリップＢの直後を記録開始位置としてクリップＣの記録を開始する。記録を停止すると、図２（ｃ）に示すように、空き領域だったところにクリップＣが新たに記録される。このように、ランダムアクセス可能な記録媒体に記録する映像記録再生装置では、ファイルシステムが自動的に空き領域に新たな映像を記録するために、既存映像が消失しないことがわかる。
【０００８】
一方でＶＴＲの上書き記録は、既存映像の一部が消失するという欠点はあるが、既存映像の一部が新たな記録映像と置き換わるということでもあるため、上書き記録によって映像の編集を行うことができるという利点も存在する。
【０００９】
上書き記録は記録媒体上で直接映像の一部を入れ替えたい場合に有効な方法であり、ＶＴＲでは「インサート編集」等と呼ばれ標準的な編集方法である。しかしながら、記録媒体にランダムアクセス可能な記録媒体を用いた場合、一般的に新たな映像はファイルシステムによって自動的に空き領域に記録されてしまうため、ＶＴＲのような編集結果を得ることが困難であった。
【００１０】
この問題を解決するため、特許文献１に記載された従来の映像記録再生装置は、映像の記録開始位置を直前に記録再生したクリップの記録再生停止位置とし、その位置以降の映像が記録された領域に対して新たに映像を上書き記録していくことによって、ランダムアクセス可能な記録媒体を用いた場合でもＶＴＲのような編集結果を得ることを可能としている。
【特許文献１】特開２００７−２９３９４６号公報
【発明の開示】
【発明が解決しようとする課題】
【００１１】
しかしながら、特許文献１に開示された従来の映像記録再生装置では、ランダムアクセス可能な記録媒体上において既存映像の領域をそのまま上書きすることによってＶＴＲのような編集結果を得ているため、ＶＴＲと同様、既存映像の一部が消失してしまうという課題があった。
【００１２】
また、上記従来の映像記録再生装置では、既存映像の領域をそのまま上書きしているため、既存映像の一部と新たな記録映像が領域的に繋がって一つのクリップファイルとなってしまい、映像クリップの削除やコピー時に悪影響を与えてしまうという課題があった。以下、この課題について説明する。
【００１３】
図３は、特許文献１に開示された従来の映像記録再生装置の映像記録時における記録媒体の変化を示す模式図である。図３（ａ）は、論理アドレスの先頭からクリップＡおよびクリップＢが記録され、その後ろは未記録の空き領域になっていることを示している。また、直前の操作としてクリップＡを再生し、その途中の停止位置で停止したことを示している。なお、クリップＡおよびクリップＢを順に再生するように、プレイリスト等が設定されているものとする。この状態から新たに映像の記録を開始すると、図３（ｂ）に示すように、ファイルシステムはこの停止位置を記録媒体上のクリップＡが記録された領域から検索して記録開始位置とし、クリップＡのこの位置以降が記録されている領域に対して、新たに映像を上書きしていく。クリップＡの終端まで達すると、プレイリスト上で次に再生することになっているクリップＢが記録されている領域に対し、引き続き上書き記録を行う。記録を停止すると、図３（ｃ）に示すように、クリップＡの後半およびクリップＢの前半が新たな映像と置き換わったかたちで、新たな映像が記録される。このように新たな映像を上書き記録すると、既存映像と新たな記録映像が一つのクリップになることがわかる。
【００１４】
したがって、従来の映像記録再生装置では、上書きされた映像のみ、および上書きした映像のみを容易に削除したりコピーしたりすることができなかった。
【００１５】
図４は、従来の映像記録再生装置において、映像クリップを削除およびコピーする場合における記録媒体の変化を示す模式図である。図４（ａ）は、一部が上書きされた映像クリップを削除する場合における記録媒体の変化を表している。図４（ａ）のようにクリップＡを削除すると、これに上書きした新たな記録映像の一部も同時に削除されてしまうため、既存のクリップＡだけを削除することはできない。また、図４（ｂ）は上書きにより新たに記録した映像クリップをコピーする場合における記録媒体の変化を表している。図４（ｂ）のように新たな記録映像をコピーするためには、既存映像も同時にコピーする必要があり、コピー時間とコピー先容量に無駄が生じてしまう。
【００１６】
以上のように、既存映像領域そのものを上書きする従来の映像記録再生装置では、ＶＴＲのような編集結果を得ることはできるが、既存映像の一部が消失する課題をＶＴＲと同様に有しており、さらに、ファイル操作にも悪影響を与えるものであった。
【００１７】
上記課題に鑑みて本発明の映像記録再生装置は、既存映像の消失を防ぎながら、ファイル操作にも影響を与えずに、ＶＴＲのような編集結果を得ることを目的とする。
【課題を解決するための手段】
【００１８】
前記従来の課題を解決するために、本発明の映像記録再生装置は、外部から入力される映像を受け付ける映像入力手段と、前記映像入力手段から入力された前記映像をクリップとして記録媒体に記録すると共に、前記記録媒体に記録された複数の前記クリップをプレイリストにしたがって記録媒体から再生して出力する制御手段とを備え、前記制御手段は、最後に記録再生を行った前記クリップ上の位置である上書き記録開始位置を記憶し、入力された映像を上書きクリップとして記録を開始する際に、前記クリップを前記上書き記録開始位置で前後に分割し、前記上書きクリップを前記記録媒体中の空き領域に記録し、前記上書きクリップの記録終了時において、前記上書き記録開始位置から記録した時間に相当する時間分だけ前記プレイリストにしたがって論理的に進んだ上書き記録終了位置を含むクリップを前記上書き記録終了位置で前後に分割し、前記プレイリスト上における前記上書き記録開始位置および前記上書き記録終了位置の間に含まれるクリップを前記上書きクリップで置き換えるように前記プレイリストを更新する構成としたものである。
【発明の効果】
【００１９】
本発明の映像記録再生装置によれば、新たな映像を記録する場合、既存映像の消失を防ぎながら、ファイル操作にも影響を与えず、ＶＴＲのような編集結果を得ることが可能となる。
【発明を実施するための最良の形態】
【００２０】
以下、本発明を実施するための最良の形態について、図面を参照しながら説明する。
【００２１】
図５は、本発明の実施の形態にかかる映像記録再生装置におけるブロック図である。図５において、操作手段１０１は、映像記録再生装置に必要とされる再生、記録、停止等の機能を有した操作キーであり、ユーザによる映像の記録、再生、停止等の指示に使用される。ユーザが操作キーを操作すると、それに対応した信号が制御手段１０２に送られる。制御手段１０２は通常マイコンや映像のデコーダ・エンコーダ等によって構成される。制御手段１０２は、操作手段１０１からの信号を受けて記録媒体１０３へアクセスし、映像の記録および再生の制御を行う。記録媒体１０３へのアクセスは、ファイルシステムを通して行われる。ファイルシステムも制御手段１０２によって実現されるが、ファイルシステムについては公知の構成であり、詳細な説明は省略する。記録媒体１０３は、映像をファイルとして記録する媒体であり、媒体としてはハードディスクやフラッシュメモリ、光ディスクなどのランダムアクセス可能な媒体が考えられる。表示手段１０４は、制御手段１０２によって再生（デコード）された映像データ等を表示する手段であり、通常はディスプレイ装置が用いられる。映像入力手段１０５は、外部から映像を入力するインターフェイスであり、コンポジット端子やコンポーネント端子等の入力端子である。映像入力手段１０５には、外部の映像再生装置やビデオカメラ等、映像を出力可能な機器が接続される。本実施の形態においては映像は外部から入力されるものとして説明するが、例えばカメラ一体型記録再生装置（カメラレコーダ）のように、映像を生成するための手段が一体に構成されていてもよい。
【００２２】
映像入力手段１０５から入力された映像は、制御手段１０２に送られる。制御手段１０２は、送られてきた映像を所定のビデオ規格に準じたクリップファイルに変換し、記録媒体１０３へ記録する。すなわち、本実施の形態においては、１つの映像クリップを１つのファイルとして記録媒体１０３に記録するものとする。また、このクリップファイルは映像と共にＸＭＬ形式で記述された、クリップについてのメタ情報を含むものとする。メタ情報は、クリップの記録日時、記録時間、記録フレーム数、フレームレート等を含む。なお、記録媒体１０３に記録されている全てのクリップファイルについてのメタ情報をひとつのメタ情報ファイルに含めて管理するようにしてもよい。
【００２３】
なお、一般的にはファイルは非連続な複数の領域に分断されて記録される可能性があり、それらのつながりに関する情報はファイルシステムが管理するようになっている。しかしながらこのような場合でも本発明が適用可能であることは容易に理解できるため、本実施の形態では発明のポイントを理解しやすいように、各ファイルが記録媒体１０３の論理アドレス上で連続して記録されるものとして説明する。
【００２４】
以下、本発明の映像記録再生装置の動作について説明する。
【００２５】
図６は、本発明の映像記録再生装置の記録動作フローチャートである。また図７は、図６のフローチャートの各々のステップにおける、記録媒体の状態、および、再生順番を示す図である。
【００２６】
ここで、具体例として、記録媒体１０３にはクリップＡとクリップＢが既存クリップとして記録されているものとする。クリップＡとクリップＢは、図７（ａ）のように、論理アドレスの先頭から連続して記録されており、その後ろは未記録の空き領域になっているものとし、制御手段１０２のファイルシステムによって管理されているものとする。
【００２７】
また、クリップの再生順番は、クリップＡを再生した後にクリップＢが再生されるものとする。本発明の実施の形態では、クリップの再生順番の設定に、記録媒体１０３上に保存されたＸＭＬ形式のプレイリストファイルを使用するものとし、制御手段１０２は、プレイリストファイルに記述された再生順番に従ってクリップファイルを順次記録媒体１０３から読み出して再生するものとする。再生順番を具体例のようにクリップＡ、クリップＢと設定する場合のプレイリストファイルは、
＜Ｐｌａｙｌｉｓｔ＞
＜クリップＡ＞
＜クリップＢ＞
＜／Ｐｌａｙｌｉｓｔ＞
のように記述される。
【００２８】
プレイリストファイルは、ユーザが操作手段を操作する等してクリップの再生順番を指定し、この指定通りに制御手段１０２が作成してもよいし、例えば再生順番をクリップの記録順として制御手段１０２が作成するようにしてもよい。また、外部で作成したプレイリストファイルを本実施の形態の映像記録再生装置に入力し、記録媒体１０３に保存するようにしてもよい。
【００２９】
さらに、クリップＡの映像記録時間は１５秒、クリップＢの映像記録時間は１８秒であるとする。
【００３０】
図６中のステップＳ２０１において制御手段１０２は、上書き記録を開始したい映像クリップＡ上の上書き記録開始位置ａで再生を停止する。この時の記録媒体の状態と再生順番は図７（ａ）に示す通りであるとする。ここで、これ以下の記述における、具体例の上書き記録開始位置ａは、クリップＡの先頭フレームから１２秒進んだ位置であったとする。この時、制御手段１０２は停止位置情報として、停止したクリップと停止したクリップ上の位置ａをメモリ等の記憶媒体に保存する。具体例では、「クリップＡ、１２秒」の情報が保存される。すなわち、制御手段１０２が記録再生を停止している状態においては、制御手段１０２は最後に記録再生を行ったクリップ上の位置を上書き記録開始位置ａとして記憶していることになる。
【００３１】
ステップＳ２０２において制御手段１０２は、ユーザにより操作手段１０１の記録キーが押されたか否かを判断する。記録キーが押されるとステップＳ２０３へ進む。記録キーが押されていない場合は押されるまでステップＳ２０２を繰り返す。
【００３２】
ステップＳ２０３において制御手段１０２は、ユーザの指示に従って記録を開始する前に、ステップＳ２０１で保存された停止位置情報に従って、上書き記録開始位置ａでクリップＡを前後に分割して、クリップＡ１およびクリップＡ２を作成する。クリップＡの分割は、制御手段１０２によって実現されるファイルシステムが、クリップＡ１およびクリップＡ２の管理情報を新たに作成し、クリップＡの先頭フレームから位置ａまでが新たにクリップＡ１となるように、またクリップＡの位置ａ以降が新たにクリップＡ２となるように各々の管理情報を設定すると共に、クリップＡの管理情報を削除することによって行うものとする。すなわち、クリップの実体を記録媒体１０３上で変更することなく、管理情報のみを書き換えてクリップファイルを分割する。なお、クリップ分割は、例えばクリップＡにおけるクリップＡ１に相当する部分およびクリップＡ２に相当する部分を各々空き領域にコピーし、それらをクリップＡ１およびクリップＡ２とすると共に、元のクリップＡを削除するような処理をしてもよい。具体例では、映像記録時間が１２秒のクリップＡ１、および、映像記録時間が３秒のクリップＡ２が作成される。ステップＳ２０３におけるクリップ分割を行った場合の記録媒体の状態を図７（ｂ）に示す。
【００３３】
ステップＳ２０４において制御手段１０２は、ファイルシステムを通して記録媒体１０３上における実際に映像を記録するための空き領域の開始位置を検索する。具体例では検索の結果、記録媒体１０３上の空き領域の先頭が実際に映像を記録する領域の開始位置として設定されたものとする。なお、ファイルシステムによる空き領域の検索処理については公知の技術を用いることができるが、ここでは詳細な説明は省略する。
【００３４】
ステップＳ２０５において制御手段１０２は、映像入力１０５から入力された映像を、ステップＳ２０４で検索した記録媒体１０３上の空き領域に記録する。ステップＳ２０５における記録処理を実行中の記録媒体の状態を図７（ｃ）に示す。
【００３５】
ステップＳ２０６において制御手段１０２は、ユーザにより操作手段１０１の停止キーが押されたか否かを判断する。停止キーが押されるとステップＳ２０７へ進む。停止キーが押されていない場合は押されるまでステップＳ２０５の記録処理を継続する。
【００３６】
ステップＳ２０７において制御手段１０２は、記録処理を停止する。この新たに記録した映像をクリップＣとする。このクリップＣが、クリップＡおよびクリップＢを仮想的に上書きする上書きクリップに相当する。ステップＳ２０７の記録停止処理を行った場合の記録媒体の状態を図７（ｄ）に示す。ここで、具体例におけるクリップＣの映像記録時間は８秒であったものとする。
【００３７】
ステップＳ２０８において制御手段１０２は、上書き記録開始位置ａから、クリップＣの記録時間分だけ論理的に進んだ上書き記録終了位置ｂを、上書き記録開始位置ａと、各クリップのメタ情報に含まれる各クリップの記録時間と、再生順番を示すプレイリストファイルとから計算する。具体例では、上書き記録開始位置ａはクリップＡの先頭フレームから１２秒進んだ位置であり、クリップＡ、ＢおよびＣの記録時間は各々１５秒、１８秒および８秒、プレイリスト上ではクリップＡ、クリップＢの再生順番となっているので、上書き記録終了位置ｂはクリップＢの先頭フレームから５秒進んだ位置となる。上書き記録終了位置ｂの計算後、制御手段１０２は、上書き記録終了位置ｂでクリップＢを前後に分割して、クリップＢ１およびクリップＢ２を作成する。具体例では、クリップＢ１およびクリップＢ２の映像記録時間は各々５秒および１３秒となる。また、ステップＳ２０８のクリップ分割処理を行った場合の記録媒体の状態を図７（ｅ）に示す。
【００３８】
ステップＳ２０９において制御手段１０２は、上書き区間にあるクリップを上書きクリップで置き換えるようにプレイリストを書き換える。具体例では、制御手段１０２はプレイリストファイルを下記のように記述しなおす。すなわち、現在のプレイリストに対して上書き記録開始位置ａを含むクリップＡおよび上書き記録終了位置ｂを含むクリップＢを各々分割した後の仮の再生順番はクリップＡ１、クリップＡ２、クリップＢ１、クリップＢ２となる。ここでこの仮の再生順番に対して、上書きされた映像区間に相当するクリップＡ２とクリップＢ１とを、「上書き」したクリップＣで置き換えて新たな再生順番をクリップＡ１、クリップＣ、クリップＢ２とする。
＜Ｐｌａｙｌｉｓｔ＞
＜クリップＡ１＞
＜クリップＣ＞
＜クリップＢ２＞
＜／Ｐｌａｙｌｉｓｔ＞
ステップＳ２０９のプレイリスト更新処理を行った場合の記録媒体の状態と再生順番を図７（ｆ）に示す。
【００３９】
ここで、本発明の実施の形態では、クリップの再生順番の設定にＸＭＬ形式のプレイリストファイルを使用しているが、再生順番の設定にＸＭＬ等の言語を利用していない映像記録再生装置においても、再生順番がクリップＡ１、クリップＣ、クリップＢ２となるように、再生制御を行えばよい。
【００４０】
上記記録動作が本発明の映像記録再生装置の記録動作であり、上記の記録動作後にプレイリストの記述にしたがって映像を再生すると、図７（ｆ）で示したように、映像はクリップＡ１、クリップＣ、クリップＢ２と再生されるため、上記の記録動作を行えば、ＶＴＲの上書き記録のような編集結果を得ることが可能となる。
【００４１】
次に、上書き記録による既存映像の消失を防ぐ方法について説明する。
【００４２】
上記記録動作の説明の中で述べたように、本発明の映像記録再生装置では、新たな映像を空き領域に記録するため、上書き区間に相当する既存映像（クリップＡ２およびクリップＢ１）は記録媒体１０３中に存在しており、再生対象から除外されているだけである。
【００４３】
したがって、例えば新たな記録映像を削除した場合、新たな記録映像によって上書きされた区間に相当する既存映像を再び再生対象に戻せば、既存映像の消失を防ぐことが可能となる。
【００４４】
図８は、本発明の実施の形態における映像記録再生装置で新たな記録映像を削除した場合の記録媒体の状態と再生順番を示した図である。図８では、上記記録動作の説明中の具体例において、クリップＣを削除した後に、クリップＡ２とクリップＢ１を再び再生対象に戻し、クリップＡ１、クリップＡ２、クリップＢ１、クリップＢ２と再生されるような再生制御を行った場合のイメージを示している。
【００４５】
図８から分かるように、新たな記録映像によって上書きされた区間に相当する既存映像を再び再生対象に戻すことができれば、既存映像の消失を防ぐことが可能となる。
【００４６】
ここで、上記記録動作の説明中の具体例において、クリップＣを削除した後に、クリップＡ２とクリップＢ１を再び再生対象に戻し、クリップＡ１、クリップＡ２、クリップＢ１、クリップＢ２と再生されるような制御方法について、以下に記す。
【００４７】
まず、制御手段１０２によって、上書きクリップであるクリップＣを記録する際に、クリップＣのヘッダ部やクリップＣを記述するＸＭＬ等のメタ情報欄に、クリップＣが仮想的に上書きした区間に相当する既存クリップ、ここではクリップＡ２とクリップＢ１を示す情報を、その再生順の情報も含めて付加して記録する。次に、クリップＣの削除時に、制御手段１０２によって、クリップＣのメタ情報欄からクリップＣが上書きした区間に相当する既存クリップ（仮の再生順番上でクリップＣと置き換えたクリップ）、ここではクリップＡ２とクリップＢ１を割り出し、メモリ等の記憶媒体に保存する。クリップＣの削除後、制御手段１０２によって、メモリ等の記憶媒体に保存された上書き情報を用いて、プレイリストファイルを下記のように記述しなおす。すなわち、プレイリスト中のクリップＣを、クリップＡ２、クリップＢ１と置き換えるようにする。
＜Ｐｌａｙｌｉｓｔ＞
＜クリップＡ１＞
＜クリップＡ２＞
＜クリップＢ１＞
＜クリップＢ２＞
＜／Ｐｌａｙｌｉｓｔ＞
なお、本実施の形態では上書きクリップであるクリップＣの削除時に、仮想的に上書きされたクリップＡ２およびクリップＢ１を再び再生対象に戻す処理について説明したが、クリップＣを削除せず、単にプレイリストから除外したときに、同様にクリップＡ２およびクリップＢ１を再生対象に戻すようにしてもよい。
【００４８】
上記記録動作の説明の中で述べたように、本発明の映像記録再生装置では、新たな映像を上書き記録する場合、新たな映像は既存映像の領域にそのまま記録するのではなく、空き領域に記録し、且つ、上書き記録開始位置と、記録開始位置から記録時間分論理的に進んだ位置で既存クリップを分割している。このため、新たな記録映像と既存映像は別々のファイルになっており、独立してファイル操作を行うことができる。
【００４９】
従来の映像記録再生装置で既存映像クリップ、例えばクリップＡを削除すると、図４（ａ）のように新たな記録映像クリップ、すなわちクリップＣの一部も同時に削除されてしまうが、本発明の映像記録再生装置でクリップＡを削除した場合は、図９（ａ）のようにクリップＣの一部も同時に削除されてしまうということはなく、クリップＡだけを削除することができる。
【００５０】
また、従来の映像記録再生装置でクリップＣをコピーすると、図４（ｂ）のように既存映像クリップも同時にコピーされるため、コピー時間とコピー先容量に無駄が生じてしまうが、本発明の映像記録再生装置でクリップＣをコピーした場合は、図９（ｂ）のように既存映像クリップを同時にコピーする必要はなく、クリップＣだけをコピーすることができる。
【００５１】
以上が、本発明の映像記録再生装置の動作である。この動作によれば、新たな映像を記録する場合、既存映像の消失を防ぎながら、ファイル操作にも影響を与えず、ＶＴＲのような編集結果を得ることが可能となる。
【００５２】
なお、本実施の形態では、新たな映像を記録する前に上書き記録開始位置でクリップの分割を行ったが、新たな映像を記録する前の動作は、上書き記録開始位置をメモリ等の記憶手段に記憶しておくだけに留め、新たな映像の記録が終了した後にクリップを分割してもよい。
【産業上の利用可能性】
【００５３】
本発明の映像記録再生装置は、新たな映像を記録する場合、既存映像の消失を防ぎながら、ファイル操作にも影響を与えず、ＶＴＲのような編集結果を得ることが可能となるため、ランダムアクセス可能な記録媒体に対して仮想的な上書き記録を実現する映像記録再生装置等にも適用可能である。
【図面の簡単な説明】
【００５４】
【図１】ＶＴＲの映像記録時における記録媒体の変化を示す図
【図２】ランダムアクセス可能な記録媒体を用いた場合の映像記録時における記録媒体の変化を示す図
【図３】従来技術の映像記録時における記録媒体の変化を示す図
【図４】映像クリップを削除およびコピーする場合における記録媒体の変化を示す図
【図５】本発明の実施の形態における映像記録再生装置のブロック図
【図６】本発明の実施の形態における映像記録再生装置のフローチャート
【図７】本発明の実施の形態における映像記録再生装置の記録動作中の記録媒体の状態と再生順番を示す図
【図８】本発明の実施の形態における映像記録再生装置で新たな記録映像を削除した場合の記録媒体の状態と再生順番を示す図
【図９】本発明の実施の形態における映像記録再生装置で映像クリップを削除およびコピーする場合における記録媒体の変化を示す図
【符号の説明】
【００５５】
１０１  操作手段
１０２  制御手段
１０３  記録媒体
１０４  表示手段
１０５  映像入力手段
【図１】
2009301646.tif 000003
【図２】
2009301646.tif 000004
【図３】
2009301646.tif 000005
【図４】
2009301646.tif 000006
【図５】
2009301646.tif 000007
【図６】
2009301646.tif 000008
【図７】
2009301646.tif 000009
【図８】
2009301646.tif 000010
【図９】
2009301646.tif 000011